(57)【要約】【課題】  作業者が誰でも簡便に速やかにかつ見栄え良く効率等に袋綴じ作業を完成することができる、袋綴じ用紙を提供する。【解決手段】  帯状の袋綴じ用紙の表面の少なくとも一部縁部に塗布された接着層とそれを覆う剥離紙とを備え、紙片裏面側の綴じ部に密接される袋綴じ用紙の裏面全部の少なくとも一部縁部に塗布された接着層とそれを覆う剥離紙とを備えたことを特徴とする袋綴じ用紙である。【選択図】図１０
0003165834.tif 000002
【実用新案登録請求の範囲】
【請求項１】
積層された複数枚の紙片の一端を綴じ合わせる袋綴じ用紙において、紙片表面側の綴じ部に密接される帯状の袋綴じ用紙の表面の少なくとも一部縁部に塗布された接着層とそれを覆う剥離紙とを備え、紙片裏面側の綴じ部に密接される袋綴じ用紙の裏面の少なくとも一部縁部に塗布された接着層とそれを覆う剥離紙とを備えたことを特徴とする袋綴じ用紙。
【請求項２】
積層された複数枚の紙片の一端を綴じ合わせる袋綴じ用紙において、紙片表面側の綴じ部に密接される帯状の袋綴じ用紙の表面の少なくとも一部縁部に塗布された接着層とそれを覆う剥離紙とを備え、紙片裏面側の綴じ部に密接される袋綴じ用紙の裏面の少なくとも一部縁部に塗布された接着層とそれを覆う剥離紙とを備えるとともに、紙片を袋状に綴じこむための折込み用突起部を有することを特徴とする請求項１記載の袋綴じ用紙。
【請求項３】
積層された複数枚の紙片の一端を綴じ合わせる袋綴じ用紙において、紙片表面側の綴じ部に密接される帯状の袋綴じ用紙の表面の少なくとも一部縁部に塗布された接着層とそれを覆う剥離紙とを備え、紙片裏面側の綴じ部に密接される袋綴じ用紙の裏面全部の少なくとも一部縁部に塗布された接着層とそれを覆う剥離紙とを備えるとともに、袋綴じ工程が剥離紙に記載されていることを特徴とする請求項１記載の袋綴じ用紙。
【請求項４】
積層された複数枚の紙片の一端を綴じ合わせる袋綴じ用紙において、紙片表面側の綴じ部に密接される帯状の袋綴じ用紙の表面の少なくとも一部縁部に塗布された接着層とそれを覆う剥離紙とを備え、紙片裏面側の綴じ部に密接される袋綴じ用紙の裏面の少なくとも一部縁部に塗布された接着層とそれを覆う剥離紙とを備えるとともに、綴じ工程が剥離紙に記載されていることと紙片を袋状に綴じこむための折込み用突起部を有することを特徴とする請求項２記載の袋綴じ用紙。
【考案の詳細な説明】
【技術分野】
【０００１】  本考案は、契約書等の書類を綴じる際に使用する袋綴じ用紙に関する。
【背景技術】
【０００２】  契約書類や会議の議事録等において、その書類を構成する多数枚の紙をホッチキスで綴じ込んでから、その綴じ込み部をテープや糊付けした紙片で覆うことにより、袋綴じ製本を行うことが一般的である。
袋綴製本は個人の工作的技量に委ねられているのが現状であり、技術的な改良がなされず、袋綴じの見栄えや効率等が改善されておらず、作業者が誰でも簡便に速やかに完成できるような方法が要望されている。
【考案の概要】
【考案が解決しようとする課題】
【０００３】  したがって本考案は、従来の袋綴じの問題点を解消し、契約書等を作成する際に、誰でも簡便に効率的に手違いが無く袋綴じを実施できることを目的としている。
【課題を解決するための手段】
【０００４】  本考案の袋綴じ用紙は、紙片表面側の綴じ部に密接される帯状の袋綴じ用紙の表面の少なくとも一部縁部に塗布された接着層とそれを覆う剥離紙とを備え、紙片裏面側の綴じ部に密接される袋綴じ用紙の裏面の少なくとも一部縁部に塗布された接着層とそれを覆う剥離紙とを備えたことを特徴とする袋綴じ用紙である。
本考案の袋綴じ用紙の上端、下端に折込み用突起部を設けることにより、紙片の散乱および紙片の剥ぎ取りや差し替えを防止する確実な袋綴じができる。また本考案の袋綴じ用紙に折り目線を入れることにより、折り位置を特定し折り易く構成することができる。また袋綴じ用紙の剥離紙に袋綴じ手順となる順序や作業内容を印字する構成とし、作業者はこれに従って作業をすることにより、簡便かつ効率的に袋綴じを実施できる。
【考案の効果】
【０００５】  上述の様に、本考案の袋綴じ用紙は、袋綴じ作業に慣れていない作業者であっても、紙片を折り込む手順を間違えたり、袋綴じが不十分で紙片が散乱したりすることなく、簡便効率的に確実な袋綴じ作業を実現できる効果がある。
【図面の簡単な説明】
【０００６】
【図１】  本考案の請求項１に係る袋綴じ用紙表面の平面図である。
【図２】  本考案の請求項１に係る袋綴じ用紙裏面の平面図である。
【図３】  本考案の請求項２に係る袋綴じ用紙表面の平面図である。
【図４】  本考案の請求項２に係る袋綴じ用紙裏面の平面図である。
【図５】  本考案の請求項３に係る袋綴じ用紙表面の平面図である。
【図６】  本考案の請求項３に係る袋綴じ用紙裏面の平面図である。
【図７】  本考案の請求項４に係る袋綴じ用紙表面の平面図である。
【図８】  本考案の請求項４に係る袋綴じ用紙裏面の平面図である。
【図９】  本考案に係る袋綴じ用紙の断面図である。
【図１０】  本考案に係る袋綴じ用紙を利用した契約書類表面の平面図である。
【図１１】  本考案に係る袋綴じ用紙を利用した契約書類裏面の平面図である。
【考案を実施するための形態】
【０００７】  本袋綴じ用紙の表面の剥離紙を剥がし、契約書等の複数枚の紙片の片側綴じ部に貼り付け、ホッチキスで綴じる。袋綴じ用紙の谷折り部に沿って谷折りを繰り返し、突起部を折り込み、袋綴じ用紙裏面の剥離紙を剥がして契約書等の複数枚の紙片の裏側に貼り付けることで、袋綴じが完了する。
【実施例】
【０００８】  以下、実施例により本考案をより詳細に説明するが、本考案の技術的範囲は以下の実施例に限定されるものではない。【０００９】  図１は本考案の袋綴じ用紙の表面を図示している。表面剥離紙３を剥離し、図１０に一例を示すように契約書等の綴じ部へ表面接着層２を接着させ貼り付け、契約書等をホッチキス綴じ部７でホッチキス綴じする。
図２に例示してある裏面の谷折り部に折り目をつけた後に、裏面剥離紙５を剥離し、図１１に一例を示すように、裏面接着部４を契約書等の表面から裏面へ順次貼り付けていく。【００１０】  その際、図３と図４に記載のある折込み用突起部６を有する場合には、図１１に示す通り契約書類等裏面へ折り込んで貼付ける。【００１１】  また、図６、図７、図８、図９に一例を示すように、表面剥離紙３、裏面剥離紙５に手順が記載されている場合には、この手順に沿って作業をすることによって、不慣れな作業者も効率的、確実に袋綴じを完成させることができる。【００１２】  本考案の袋綴じ用紙は、一般的な契約書やビジネス文書に多用されるＡ４サイズまたはＢ５サイズに対応させて、その書類のサイズに適したものを準備することができる。またそれ以外の特殊なサイズの文書の場合でも、袋綴じ用紙の長さを変えて対応させることができる。
【符号の説明】
【００１３】１．袋綴じ用紙  ２．表面接着層  ３．表面剥離紙  ４．裏面接着層  ５．裏面剥離紙  ６．折込み用突起部  ７．ホッチキス綴じ部
【図１】
0003165834.tif 000003
【図２】
0003165834.tif 000004
【図３】
0003165834.tif 000005
【図４】
0003165834.tif 000006
【図５】
0003165834.tif 000007
【図６】
0003165834.tif 000008
【図７】
0003165834.tif 000009
【図８】
0003165834.tif 000010
【図９】
0003165834.tif 000011
【図１０】
0003165834.tif 000012
【図１１】
0003165834.tif 000013